(57)【要約】【課題】複雑な操作を必要とせずに目的地の設定および目的地の宛先携帯通信端末への通知を自動的に行うことで操作性を向上させるナビゲーションシステムおよびナビゲーション制御方法を提供する。【解決手段】携帯通信端末１０が有線あるいは無線通信インタフェース１０１，２０１を介してナビゲーション装置２０と接続されたシステムであって、携帯通信端末１０が表示部１０４に選択表示された宛先情報に対応する宛先住所情報をビゲーション装置２０へ送信し、ナビゲーション装置２０が宛先住所情報によりナビゲーション目的地を設定し、現在位置から目的地までの所要時間から到着予定時刻を計算して携帯通信端末１０へ返し、携帯通信端末１０が到着予定時刻を宛先情報に対応する宛先メールアドレスへメール送信する。【選択図】図１
2010249758.tif 000002
【特許請求の範囲】
【請求項１】
携帯通信端末が有線あるいは無線通信インタフェースを介してナビゲーション装置と接続されたシステムであって、
前記携帯通信端末が、当該携帯通信端末の表示部に選択表示された宛先情報に対応する宛先住所情報を前記ナビゲーション装置へ送信し、
前記ナビゲーション装置が、前記宛先住所情報によりナビゲーション目的地を設定し、現在位置から前記目的地までの所要時間から到着予定時刻を計算して前記携帯通信端末へ返し、
前記携帯通信端末が、前記到着予定時刻を前記宛先情報に対応する宛先メールアドレスへメール送信する、
ことを特徴とするナビゲーションシステム。
【請求項２】
前記携帯通信端末は、宛先リストが格納されたアドレス帳メモリを有し、前記宛先リストの各々の宛先情報には、少なくとも当該宛先の住所情報およびメールアドレスが含まれることを特徴とする請求項１に記載のナビゲーションシステム。
【請求項３】
前記携帯通信端末は、前記ナビゲーション装置から宛先情報の要求を受けた後で前記表示部に宛先情報が選択されて表示されたときに、当該宛先情報に対応する宛先住所情報を前記ナビゲーション装置へ送信する、ことを特徴とする請求項１または２に記載のナビゲーションシステム。
【請求項４】
有線あるいは無線通信インタフェースを介して携帯通信端末と接続することができるナビゲーション装置であって、
現在位置を検出する位置検出手段と、
前記携帯通信端末と接続したときに、前記携帯通信端末の表示部に選択表示された宛先情報に対応する宛先住所情報を取得し、前記宛先住所情報を用いてナビゲーション目的地を設定し、現在位置から前記目的地までの所要時間から到着予定時刻を計算して前記携帯通信端末へ返すナビゲーション制御手段と、
を有することを特徴とするナビゲーション装置。
【請求項５】
有線あるいは無線通信インタフェースを介してナビゲーション装置と接続することができる携帯通信端末であって、
表示部と、
それぞれの宛先の住所情報およびメールアドレスを含む１以上の宛先情報を格納したアドレス帳記憶手段と、
前記表示部にある宛先情報が選択表示されると、前記宛先情報に対応する宛先住所情報を前記ナビゲーション装置へ送信し、当該宛先住所情報に対する到着予定時刻が前記ナビゲーション装置から返ってくると、当該到着予定時刻を前記宛先情報に対応する宛先メールアドレスへメール送信する制御手段と、
を有することを特徴とする携帯通信端末。
【請求項６】
前記制御手段は、前記ナビゲーション装置から宛先情報の要求を受けた後で前記表示部に宛先情報が選択されて表示されたときに、当該宛先情報に対応する宛先住所情報を前記ナビゲーション装置へ送信することを特徴とする請求項５に記載の携帯通信端末。
【請求項７】
携帯通信端末が有線あるいは無線通信インタフェースを介してナビゲーション装置と接続されたシステムにおけるナビゲーション制御方法であって、
前記携帯通信端末が、当該携帯通信端末の表示部に選択表示された宛先情報に対応する宛先住所情報を前記ナビゲーション装置へ送信し、
前記ナビゲーション装置が、前記宛先住所情報によりナビゲーション目的地を設定し、現在位置から前記目的地までの所要時間から到着予定時刻を計算して前記携帯通信端末へ返し、
前記携帯通信端末が、前記到着予定時刻を前記宛先情報に対応する宛先メールアドレスへメール送信する、
ことを特徴とするナビゲーション制御方法。
【請求項８】
前記携帯通信端末は、宛先リストが格納されたアドレス帳メモリを有し、前記宛先リストの各々の宛先情報には、少なくとも当該宛先の住所情報およびメールアドレスが含まれることを特徴とする請求項７に記載のナビゲーション制御方法。
【請求項９】
前記携帯通信端末は、前記ナビゲーション装置から宛先情報の要求を受けた後で前記表示部に宛先情報が選択されて表示されたときに、当該宛先情報に対応する宛先住所情報を前記ナビゲーション装置へ送信する、ことを特徴とする請求項７または８に記載のナビゲーション制御方法。
【請求項１０】
有線あるいは無線通信インタフェースを介して携帯通信端末と接続することができるナビゲーション装置のプログラム制御プロセッサを機能させるコンピュータプログラムであって、
前記携帯通信端末と接続したときに、前記携帯通信端末の表示部に選択表示された宛先情報に対応する宛先住所情報を取得する機能と、
前記宛先住所情報を用いてナビゲーション目的地を設定する機能と、
現在位置から前記目的地までの所要時間から到着予定時刻を計算して前記携帯通信端末へ返す機能と、
を前記プログラム制御プロセッサで実現させることを特徴とするコンピュータプログラム。
【請求項１１】
有線あるいは無線通信インタフェースを介してナビゲーション装置と接続することができる携帯通信端末のプログラム制御プロセッサを機能させるコンピュータプログラムであって、
それぞれの宛先の住所情報およびメールアドレスを含む１以上の宛先情報をアドレス帳記憶手段に格納する機能と、
表示部にある宛先情報が選択表示されると、前記宛先情報に対応する宛先住所情報を前記ナビゲーション装置へ送信する機能と、
当該宛先住所情報に対する到着予定時刻が前記ナビゲーション装置から返ってくると、当該到着予定時刻を前記宛先情報に対応する宛先メールアドレスへメール送信する機能と、
を前記プログラム制御プロセッサで実現させることを特徴とするコンピュータプログラム。
【発明の詳細な説明】
【技術分野】
【０００１】
本発明は携帯通信端末を用いたナビゲーションシステムおよびナビゲーション制御方法に関する。
【背景技術】
【０００２】
近年、自動車に搭載するカーナビゲーション装置の利用技術が進み、ユーザは様々なサービスを享受できるようになってきている。それに伴って、カーナビゲーション装置の操作性向上を狙った技術、特に携帯電話機を利用したカーナビゲーションシステムが提案されている。
【０００３】
たとえば、特許文献１には目的地設定を容易にするシステムが開示されている。具体的には、携帯電話機と赤外線通信により接続されると、カーナビゲーション装置が携帯電話機から自動的に相手方の電話番号データを受信し、その電話番号に基づいて自動的に目的地を設定する。
【０００４】
また特許文献２には、状況により変化する到着予定時刻を目的地の相手方へ知らせるシステムが開示されている。具体的には、カーナビゲーション装置とユーザ携帯電話機とが無線通信可能であり、ユーザ携帯電話機が目的地の携帯電話機から受信した位置情報をカーナビゲーション装置へ通知し、カーナビゲーション装置はルート検索により算出した到着予定時刻をユーザ携帯電話機へ返し、ユーザ携帯電話が到着予定時刻を目的地の携帯電話へ送信する。
【先行技術文献】
【特許文献】
【０００５】
【特許文献１】特開２００４−２９４３１０号公報
【特許文献２】特開２００７−２０５８７２号公報
【発明の概要】
【発明が解決しようとする課題】
【０００６】
しかしながら、特許文献１に開示されたカーナビゲーション装置は、携帯電話機から送信されてきた電話番号データに基づいて目的地を設定するので、電話番号に対応付けた地点データを予め登録する操作が必要となる。さらに、目的地にいる当該電話番号の相手に連絡するには、携帯電話機を手動操作して発呼しなければならない。
【０００７】
また、特許文献２に開示されたシステムでは、目的地にいる相手の携帯電話機から目的地の位置情報が通知されるので、相手の携帯電話機にＧＰＳ(Global Positioning System)機能などが装備されていない場合、あるいは目的地が通信可能エリア圏外にある場合には、ユーザ携帯電話機は目的地の位置情報を取得することができない。
【０００８】
そこで、本発明の目的は、複雑な操作を必要とせずに目的地の設定および目的地の宛先携帯通信端末への通知を自動的に行うことで操作性を向上させるナビゲーションシステムおよびナビゲーション制御方法を提供することにある。
【課題を解決するための手段】
【０００９】
本発明によるナビゲーションシステムは、携帯通信端末が有線あるいは無線通信インタフェースを介してナビゲーション装置と接続されたシステムであって、前記携帯通信端末が、当該携帯通信端末の表示部に選択表示された宛先情報に対応する宛先住所情報を前記ナビゲーション装置へ送信し、前記ナビゲーション装置が、前記宛先住所情報によりナビゲーション目的地を設定し、現在位置から前記目的地までの所要時間から到着予定時刻を計算して前記携帯通信端末へ返し、前記携帯通信端末が、前記到着予定時刻を前記宛先情報に対応する宛先メールアドレスへメール送信する、ことを特徴とする。
【００１０】
本発明によるナビゲーション装置は、有線あるいは無線通信インタフェースを介して携帯通信端末と接続することができるナビゲーション装置であって、現在位置を検出する位置検出手段と、前記携帯通信端末と接続したときに、前記携帯通信端末の表示部に選択表示された宛先情報に対応する宛先住所情報を取得し、前記宛先住所情報を用いてナビゲーション目的地を設定し、現在位置から前記目的地までの所要時間から到着予定時刻を計算して前記携帯通信端末へ返すナビゲーション制御手段と、を有することを特徴とする。
【００１１】
本発明による携帯通信端末は、有線あるいは無線通信インタフェースを介してナビゲーション装置と接続することができる携帯通信端末であって、表示部と、それぞれの宛先の住所情報およびメールアドレスを含む１以上の宛先情報を格納したアドレス帳記憶手段と、前記表示部にある宛先情報が選択表示されると、前記宛先情報に対応する宛先住所情報を前記ナビゲーション装置へ送信し、当該宛先住所情報に対する到着予定時刻が前記ナビゲーション装置から返ってくると、当該到着予定時刻を前記宛先情報に対応する宛先メールアドレスへメール送信する制御手段と、を有することを特徴とする。
【００１２】
本発明によるナビゲーション制御方法は、携帯通信端末が有線あるいは無線通信インタフェースを介してナビゲーション装置と接続されたシステムにおけるナビゲーション制御方法であって、前記携帯通信端末が、当該携帯通信端末の表示部に選択表示された宛先情報に対応する宛先住所情報を前記ナビゲーション装置へ送信し、前記ナビゲーション装置が、前記宛先住所情報によりナビゲーション目的地を設定し、現在位置から前記目的地までの所要時間から到着予定時刻を計算して前記携帯通信端末へ返し、前記携帯通信端末が、前記到着予定時刻を前記宛先情報に対応する宛先メールアドレスへメール送信する、ことを特徴とする。
【発明の効果】
【００１３】
本発明により、複雑な操作を必要とせずに目的地の設定および目的地の宛先携帯通信端末への通知を自動的に行うことで操作性を向上させることができる。
【図面の簡単な説明】
【００１４】
【図１】本発明の一実施形態によるナビゲーションシステムの概略的構成を示すブロック図である。
【図２】本実施形態によるナビゲーションシステムの動作手順を示したフローチャートである。
【図３】本発明の一実施例によるナビゲーションシステムの機能的構成を示すブロック図である。
【発明を実施するための形態】
【００１５】
以下、本発明を実施するための形態について図面を参照して詳細に説明する。なお、本発明は、以下に述べる実施形態により限定されるものではない。
【００１６】
１．一実施形態
１．１）構成
図１に示すように、本実施形態によるナビゲーションシステムでは、携帯通信端末１０がナビゲーション装置２０に有線あるいは無線のインタフェースを通して接続され、携帯通信端末１０がネットワーク３０を通して目的地の宛先携帯通信端末４０へメール送信可能である。ネットワーク３０は、携帯通信端末１０および４０の通信を可能にする移動通信ネットワークを含む。携帯通信端末１０は携帯情報通信端末や携帯電話端末などである。また、宛先の通信装置として、ここでは携帯通信端末４０を例示するが、このような移動端末に限定されるものではなく、例えばネットワーク３０に接続されたパーソナルコンピュータ（ＰＣ）などであってもよい。
【００１７】
携帯通信端末１０には、ナビゲーション装置２０とのデータ通信を可能にする有線／無線インタフェース１０１、アドレス帳メモリ１０２、携帯端末制御部１０３、表示部１０４、ネットワーク３０との無線通信を可能にする無線通信部１０５、その他キー操作部などが設けられている。アドレス帳メモリ１０２には、ユーザが登録した宛先リストが格納されており、それぞれの宛先情報として、少なくとも宛先の氏名／名称、住所、電話番号およびメールアドレスが含まれる。宛先の住所は、ユーザにより入力されたものでもよいし、受信したメールの発信元メールアドレスを登録する時にメール本文に記載された住所を読み出して自動登録することもできる。
【００１８】
携帯端末制御部１０３は、ユーザが選択した宛先情報のうち必要な情報を表示部１０４に表示すると共に、ナビゲーション装置２０からの要求に応じて、表示された宛先情報の宛先住所データ（目的地データ）をナビゲーション装置２０へ送信する。それに対応する目的地到着時刻情報をナビゲーション装置２０から受け取ると、携帯端末制御部１０３は到着時刻を知らせるメールを自動的に作成し、当該宛先情報のメールアドレスを宛先として（ここでは宛先の携帯通信端末４０へ）送信する。
【００１９】
ナビゲーション装置２０には、携帯通信端末１０とのデータ通信を可能にする有線／無線インタフェース２０１、位置検出部２０２、ナビゲーション制御部２０３、表示部１０４、その他キー操作部などが設けられている。位置検出部２０２は、たとえばＧＰＳ等の測位装置であり、現在の地点データをナビゲーション制御部２０３へ出力する。ナビゲーション制御部２０３は、携帯通信端末１０に対して目的地データを要求し、その応答として宛先住所データを受信すると、現在位置と目的地の住所データを用いてルート検索および所要時間を計算し、目的地到着時刻を携帯通信端末１０へ返す。
【００２０】
１．２）動作
次に、図２のフローチャートを用いて、本実施形態によるナビゲーションシステムの動作手順について説明する。
【００２１】
まず、携帯通信端末１０の有線／無線インタフェース１０１とナビゲーション装置２０の有線／無線インタフェース２０１とがケーブル接続あるいは無線接続され、それぞれの制御部１０３および２０３が接続を確認すると（ステップ３０１）、ナビゲーション制御部２０３は携帯通信端末１０に対して目的地を示す宛先アドレスを要求する（ステップ３０２）。
【００２２】
携帯通信端末１０の携帯端末制御部１０３は、宛先アドレス要求を受信すると（ステップ３０３）、ユーザの操作によりアドレス帳メモリ１０２から宛先データが選択され表示部１０４に表示されているか否かを判定する（ステップ３０４）。宛先データが表示されていれば（ステップ３０４：ＹＥＳ）、携帯端末制御部１０３は宛先データのうち宛先住所情報をナビゲーション装置２０へ送信し（ステップ３０５）、それに対する応答である到着時刻情報の受信を待つ（ステップ３０６）。
【００２３】
ナビゲーション装置２０から到着時刻情報を受信すると（ステップ３０６：ＹＥＳ）、携帯端末制御部１０３は、表示部１０４に表示されている宛先データのメールアドレスを宛先とし、受信した到着時刻情報を本文としたメールを作成し、当該宛先の携帯通信端末４０へ送信する（ステップ３０７）。
【００２４】
なお、ユーザが宛先選択操作をしなかった場合（ステップ３０４：ＮＯ）あるいはナビゲーション装置２０から所定時間内に到着時刻を受信しなかった場合（ステップ３０６：ＮＯ）、携帯端末制御部１０３はステップ３０５あるいは３０７を実行せずに当該処理から出る。
【００２５】
ナビゲーション制御部２０３は宛先アドレス要求に対する応答として宛先住所情報を受信すると（ステップ３０８：ＹＥＳ）、その宛先住所からナビゲーションの目的地を設定し、位置検出部２０２から現在位置データを取得する（ステップ３０９）。ナビゲーション制御部２０３は、設定された目的地と現在位置とから経路検索が可能であるか否かを判定し（ステップ３１０）、検索された経路を用いて目的地に到着する時刻を計算し携帯通信端末へ返信する（ステップ３１１）。なお、携帯通信端末１０から宛先住所情報を受信しなかった場合（ステップ３０８：ＮＯ）あるいは経路検索ができなかった場合（ステップ３１０：ＮＯ）、ナビゲーション制御部２０３はステップ３０９あるいは３１１を実行せずに当該処理から出る。
【００２６】
こうして、携帯通信端末１０の携帯端末制御部１０３は、ナビゲーション装置２０から受信した目的地までの所要時間または到着時刻を宛先携帯通信端末４０のメールアドレスへ自動的にメール送信することができる。
【００２７】
１．３）効果
上述したように、本実施形態によれば、ナビゲーション装置に携帯通信端末を接続すると、当該携帯通信端末のアドレス帳に登録している住所データを用いてナビゲーション目的地に自動設定することができ、さらに目的地として設定された相手先の通信装置に対して到着予定時刻を通知するメールを自動送信することができる。このように、携帯通信端末に備えられたアドレス帳のみを利用して目的地の設定および到着予定時刻の通知を自動的に実行することができるので、面倒な登録操作などが不要となり、ナビゲーションシステムの操作性および利便性を大きく向上させることができる。
【００２８】
２．実施例
２．１）構成
次に、図３を用いて、本発明の一実施例によるナビゲーションシステムについて説明する。図３に示すように、本実施例では携帯通信端末１００とナビゲーション装置２００とが接続されている。携帯通信端末１００は、通信機能（例えば、通話、メール送受信、インターネット接続）やＴＶ放送受信機能等を備えた情報処理装置であってプログラム制御により動作するものとする。また、ナビゲーション装置２００は、位置情報の取得機能、自位置を道路地図とともに表示する機能、現在位置から目的位置までの経路算出機能および案内機能等を備え、車両等に搭載される情報処理装置であって、プログラム制御により動作するものとする。
【００２９】
携帯通信端末１００において、無線通信部４０１は、アンテナを介して無線基地局との間で無線により情報の送受を行う。放送受信部４０２は、放送局（地上局、衛星など）から送信された放送信号をアンテナを介して受信し復調して、映像データ、音声データ、情報データ等の信号処理を行う。カメラ部４０３は画像情報の取得（撮影）を行う。音声処理部４０４は、送話部（マイク）４０５を通して入力される音声信号と受話部（スピーカ）１０６へ出力される音声信号の処理を行う。表示部４０７は、画像、図形、文字、記号などの情報を表示する。操作部４０８は、テンキー、スクロールキー、十字キー、決定キー等から構成され、利用者の操作により各種情報の入力や指令入力が行われる。接続部４０９はナビゲーション装置２００との間で情報の送受信を行う通信インタフェース部であるが、有線通信による接続だけでなく、Bluetooth（登録商標）、赤外線通信IrDA(Infrared Data Association)、無線LANなどの近距離無線通信による接続も可能である。スピーカ部４１０は楽音や報知音などの鳴音出力を行う。記憶部４１１は、電話帳情報、送受信メール情報、発着呼情報、コンテンツ情報、アプリケーションプログラム、撮影画像および諸設定情報などを格納する。制御部４１２は上記ブロック４０１−４１１を制御して、電話機能、メール機能、インターネット接続機能、カメラ機能、テレビ受信機能、コンテンツ再生機能などを実現するように制御する。
【００３０】
ナビゲーション装置２００において、ＧＰＳ部５０１はＧＰＳ衛星からのＧＰＳ信号を検出して位置情報を取得する。方位センサ５０２は車両の進行方位を検出し、車速センサ５０２は車速を、ジャイロセンサ５０４は車両の進行方向の変化をそれぞれ検出する。入力部５０５は、目的地や経由地等の入力、その他、装置に対する入力操作を行うスイッチあるいはタッチパネルにより構成される。接続部５０６は、携帯通信端末１００との間で情報の送受を行う通信インタフェース部である。苗字部５０７は、画像、図形、文字、記号などの情報表示や地図情報表示を行う。スピーカ部５０８は、楽音や報知音などの鳴音出力を行う。記憶部５０９は、地図情報、探索用データ等の各種データ、アプリケーションプログラムおよびナビゲーション装置２００の諸設定情報などを格納する。制御部５１０は、位置情報取得機能、経路検索機能、案内機能など、ナビゲーション装置２００が有する機能や上記各ブロック部５０１−５０９の制御を行う。
【００３１】
２．２）動作
ナビゲーション装置２００の制御部５１０は、接続部５０６に携帯通信端末１００が接続されたか否かの接続有無を常時監視する。接続が検出されると、制御部５１０は携帯通信端末１００の表示部４０７にアドレス情報（例えば、住所データ、電話番号）が表示されている場合には、その住所データを取得し、住所データに基づいてナビゲーションの目的地を自動設定する。次に、制御部５１０は、自動設定した目的地までのルート検索を行い、目的地までの所要時間または目的地への到着時刻を算出し、この所要時間または到着時刻を携帯通信端末１００へ自動送信する。
【００３２】
携帯通信端末１００では、まず、ユーザが操作部４０８を操作してナビゲーションの目的地に設定したいアドレス情報を記憶部４１１から読み出し、表示部４０７に表示させる。この状態で、携帯通信端末１００の接続部４０９とナビゲーション装置２００の接続部５０６とが有線または無線通信インタフェースを介して接続され、ナビゲーション装置２００からアドレス取得要求を受信すると、携帯通信端末１００の制御部４１２は表示部４０７に表示されているアドレス情報の宛先住所データをナビゲーション装置２００へ送信する。これに応じて、ナビゲーション装置２０から目的地までの所要時間または目的地への到着時刻を受信すると、携帯通信端末１００の制御部４１２は当該宛先アドレス情報に含まれるメールアドレス宛のメールを作成し、目的地までの所要時間または目的地への到着時刻を相手先へ自動送信する。
【００３３】
２．３）効果
上述したように、本実施例によれば、ナビゲーション装置に携帯通信端末を接続すると、当該携帯通信端末の電話帳に登録している住所データを目的地に自動設定することができ、ナビゲーション装置の目的地設定の入力操作を省力化し、利用者の利便性が向上する。さらに、目的地として設定された相手先の通信装置（例えば、携帯電話、ＰＣ）に対して、到着予定時刻に関するメールを自動送信することができ、相手先へ電話等で連絡する手間を省力化し、利用者の利便性が向上する。
【産業上の利用可能性】
【００３４】
本発明は、自動車などに搭載するカーナビゲーションシステムに適用可能である。
【符号の説明】
【００３５】
１０  携帯通信端末
２０  ナビゲーション装置
３０  ネットワーク
４０  宛先携帯通信端末
１０１  有線／無線インタフェース
１０２  アドレス帳メモリ
１０３  携帯端末制御部
１０４  表示部
１０５  無線通信部
２０１  有線／無線インタフェース
２０２  位置検出部
２０３  ナビゲーション制御部
２０４  表示部
１００  携帯通信端末
４０１  無線通信部
４０２  放送受信部
４０３  カメラ部
４０４  音声処理部
４０５  マイク
４０６  スピーカ
４０７  表示部
４０８  操作部
４０９  接続部
４１０  スピーカ部
４１１  記憶部
４１２  制御部
２００  ナビゲーション装置
５０１  ＧＰＳ部
５０２  方位センサ
５０３  車速センサ
５０４  ジャイロセンサ
５０５  入力部
５０６  接続部
５０７  表示部
５０８  スピーカ部
５０９  記憶部
５１０  制御部
【図１】
2010249758.tif 000003
【図２】
2010249758.tif 000004
【図３】
2010249758.tif 000005